(57)【特許請求の範囲】
【請求項１】
割り当てメッセージを送信する方法であって、
少なくとも１つの端末のために割り当て情報を生成し、前記割り当て情報は、逆方向リンク送信リソースの割り当てとパケットフォーマットを含み、
前記割り当てられた逆方向リンク送信リソースについて、前記少なくとも１つの端末の電源制御命令を、前記割り当て情報に含まれる前記パケットフォーマットに少なくとも部分的に基づいて生成し、
前記割り当て情報と前記電源制御命令との両方を含む割り当てメッセージを生成し、
前記少なくとも１つの端末へ前記割り当てメッセージを送信する
ことを含む、方法。
【請求項２】
前記電源制御命令を生成することは、ｎビットの数を生成することを含む、請求項１記載の方法。
【請求項３】
前記割り当てメッセージを送信することは、前記少なくとも１つの端末に、電力、電力スペクトル密度、又はこれらの組み合わせを割り当てる、請求項１記載の方法。
【請求項４】
前記電源制御命令は、逆方向リンク電源制御チャネル（ＲＬＰＣ）フィールドに含まれる、請求項１記載の方法。
【請求項５】
前記ＲＬＰＣフィールドは、目標の搬送波電力対干渉波電力比を含む、請求項４記載の方法。
【請求項６】
少なくとも１つの端末に逆方向リンク送信リソースを割り当てる割り当て情報と前記割り当てられた逆方向リンク送信リソースのための電源制御命令との両方を含む割り当てメッセージを生成するための命令を実行し、また、前記少なくとも１つの端末への前記割り当てメッセージの送信を指示するプロセッサ、ここで、前記割り当て情報は、パケットフォーマットを含み、前記電源制御命令は、少なくとも部分的に、前記割り当て情報に含まれた前記パケットフォーマットに基づく、と、
前記プロセッサによって生成された命令と関係する情報を格納するメモリと
を備える、無線通信装置。
【請求項７】
前記電源制御命令を生成することは、ｎビットの数を生成することを含む、請求項６記載の無線通信装置。
【請求項８】
前記割り当てメッセージを前記送信することは、前記少なくとも１つの端末に、電力、電力スペクトル密度、又はこれらの組み合わせを割り当てる、請求項６記載の無線通信装置。
【請求項９】
前記電源制御命令は、逆方向リンク電源制御チャネルフィールドに含まれる、請求項６記載の無線通信装置。
【請求項１０】
前記逆方向リンク電源制御フィールドは、目標の搬送波電力対干渉波電力比を含む、請求項９記載の無線通信装置。
【請求項１１】
割り当てメッセージを送信する無線通信装置であって、
少なくとも１つの端末のために割り当て情報を生成する手段、前記割り当て情報は、逆方向リンク送信リソースの割り当てとパケットフォーマットを含む、と、
前記割り当てられた逆方向リンク送信リソースについて前記少なくとも１つの端末の電源制御命令を、前記割り当て情報に含まれる前記パケットフォーマットに少なくとも部分的に基づいて、生成する手段と、
前記割り当て情報と前記電源制御命令との両方を含む割り当てメッセージを生成する手段と、
前記少なくとも１つの端末へ前記割り当てメッセージを送信する手段と
を備える、無線通信装置。
【請求項１２】
前記電源制御命令を生成することは、ｎビットの数を生成することを含む、請求項８記載の無線通信装置。
【請求項１３】
前記割り当てメッセージを前記送信することは、前記少なくとも１つの端末に、電力、電力スペクトル密度、又はこれらの組み合わせを割り当てる、請求項１１記載の無線通信装置。
【請求項１４】
前記電源制御命令は、逆方向リンク電源制御チャネルフィールドに含まれる、請求項１１記載の無線通信装置。
【請求項１５】
前記逆方向リンク電源制御フィールドは、目標の搬送波電力対干渉波電力比を含む、請求項１４記載の無線通信装置。
【請求項１６】
少なくとも１つの端末のために割り当て情報を判定し、前記割り当て情報は、逆方向リンク送信リソースの割り当てとパケットフォーマットを含み、
前記割り当てられた逆方向リンク送信リソースについて前記少なくとも１つの端末の電源制御命令を、前記割り当て情報に含まれる前記パケットフォーマットに少なくとも部分的に基づいて生成し、
前記割り当て情報と前記電源制御命令との両方を含む割り当てメッセージをフォーマットし、
前記少なくとも１つの端末へ前記割り当てメッセージを送信する
ための格納された機械実行可能な命令を有する、機械読み取り可能な記憶媒体。
【請求項１７】
無線通信システムにおいて動作可能な装置であって、前記装置は、
少なくとも１つの端末のために割り当て情報を判定し、前記割り当て情報は、逆方向リンク送信リソースの割り当てとパケットフォーマットを含み、
前記割り当てられた逆方向リンク送信リソースについて前記少なくとも１つの端末の電源制御命令を、前記割り当て情報に含まれる前記パケットフォーマットに少なくとも部分的に基づいて生成し、
前記割り当て情報と前記電源制御命令との両方を含む割り当てメッセージをフォーマットし、
前記少なくとも１つの端末へ前記割り当てメッセージを送信する
ように構成されたプロセッサ
を備える、装置。
【請求項１８】
無線通信方法であって、
端末において割り当てメッセージを受信することを含み、前記割り当てメッセージは、
逆方向リンク送信リソースの割り当てとパケットフォーマットを含む割り当て情報と、
前記割り当てられた逆方向リンク送信リソースについて、前記割り当て情報に含まれる前記パケットフォーマットに少なくとも部分的に基づいて生成される電源制御命令と、
を備える、方法。
【請求項１９】
前記電源制御命令は、ｎビットの数を備える、請求項１８記載の方法。
【請求項２０】
前記割り当てメッセージを受信することは、電力、および電力スペクトル密度の少なくとも１つを、前記端末に割り当てる、請求項１８記載の方法。
【請求項２１】
前記電源制御命令は、逆方向リンク電源制御チャネル（ＲＬＰＣ）フィールドに含まれる、請求項１８記載の方法。
【請求項２２】
前記ＲＬＰＣフィールドは、目標の搬送波電力対干渉波電力比を含む、請求項２１記載の方法。
【請求項２３】
無線通信システムで動作する装置であって、前記装置は、
メモリと、
前記メモリに結合され、端末において割り当てメッセージを受信するように構成された少なくとも1つのプロセッサとを備え、
前記割り当てメッセージは、
逆方向リンク送信リソースの割り当てとパケットフォーマットを含む割り当て情報と、
前記割り当てられた逆方向リンク送信リソースについて、前記割り当て情報に含まれる前記パケットフォーマットに少なくとも部分的に基づいて生成される電源制御命令と、
を備える、装置。
【請求項２４】
無線ネットワークにおける無線通信のためのプログラムコードをその上に保有する機械読み取り可能な記憶媒体であって、
前記プログラムコードは、
端末において割り当てメッセージを受信するプログラムコードを含み、前記割り当てメッセージは、
逆方向リンク送信リソースの割り当てとパケットフォーマットを含む割り当て情報と、
前記割り当てられた逆方向リンク送信リソースについて、前記割り当て情報に含まれる前記パケットフォーマットに少なくとも部分的に基づいて生成される電源制御命令と、
を含む、機械読み取り可能な記憶媒体。
【請求項２５】
無線通信のための装置であって、前記装置は、
少なくとも1つの端末によって割り当てメッセージを受信する手段と、
前記受信した割り当てメッセージに応じて送信する手段を備え、
前記割り当てメッセージは、
逆方向リンク送信リソースの割り当てとパケットフォーマットを含む割り当て情報と、
前記割り当てられた逆方向リンク送信リソースについて、前記割り当て情報に含まれる前記パケットフォーマットに少なくとも部分的に基づいて生成される電源制御命令と、
を備える、装置。
【請求項２６】
割り当てメッセージを送信する方法であって、
少なくとも１つの端末のために割り当て情報を生成し、前記割り当て情報は、逆方向リンク送信リソースの割り当てとパケットフォーマットを含み、
前記割り当てられた逆方向リンク送信リソースについて、前記割り当て情報に含まれる前記パケットフォーマットに少なくとも部分的に基づいて前記少なくとも１つの端末の電源制御命令を生成し、
前記割り当て情報と前記電源制御命令との両方を含む割り当てメッセージを生成し、
前記少なくとも１つの端末へ前記割り当てメッセージを送信する
ことを含む、
方法。
【請求項２７】
前記電源制御命令を生成することは、ｎビットの数を生成することを含む、請求項２６記載の方法。
【請求項２８】
前記割り当てメッセージを送信することは、前記少なくとも１つの端末に、電力、電力スペクトル密度、又はこれらの組み合わせを割り当てる、請求項２６記載の方法。
【請求項２９】
前記ＲＬＰＣフィールドは、目標の搬送波電力対干渉波電力比を含む、請求項２６記載の方法。
【請求項３０】
少なくとも１つの端末に逆方向リンク送信リソースを割り当てる割り当て情報と前記割り当てられた逆方向リンク送信リソースのための電源制御命令との両方を含む割り当てメッセージを生成するための命令を実行し、また、前記少なくとも１つの端末への前記割り当てメッセージの送信を指示するプロセッサ、ここで、前記割り当て情報は、パケットフォーマットを含み、前記電源制御命令は、前記割り当て情報に含まれた前記パケットフォーマットに少なくとも部分的に基づく、と、
前記プロセッサによって生成された命令と関係する情報を格納するメモリと
を備える、
無線通信装置。
【請求項３１】
前記電源制御命令を生成することは、ｎビットの数を生成することを含む、請求項３０記載の無線通信装置。
【請求項３２】
前記割り当てメッセージを前記送信することは、前記少なくとも１つの端末に、電力、電力スペクトル密度、又はこれらの組み合わせを割り当てる、請求項３０記載の無線通信装置。
【請求項３３】
前記逆方向リンク電源制御フィールドは、目標の搬送波電力対干渉波電力比を含む、請求項３０記載の無線通信装置。
【請求項３４】
割り当てメッセージを送信する無線通信装置であって、
少なくとも１つの端末のために割り当て情報を生成する手段、前記割り当て情報は、逆方向リンク送信リソースの割り当てとパケットフォーマットを含む、と、
前記割り当てられた逆方向リンク送信リソースについて、前記割り当て情報に含まれた前記パケットフォーマットに少なくとも部分的に基づいて前記少なくとも１つの端末の電源制御命令を生成する手段と、
前記割り当て情報と前記電源制御命令との両方を含む割り当てメッセージを生成する手段と、
前記少なくとも１つの端末へ前記割り当てメッセージを送信する手段と
を備える、
無線通信装置。
【請求項３５】
前記電源制御命令を生成することは、ｎビットの数を生成することを含む、請求項３４記載の無線通信装置。
【請求項３６】
前記割り当てメッセージを前記送信することは、前記少なくとも１つの端末に、電力、電力スペクトル密度、又はこれらの組み合わせを割り当てる、請求項３４記載の無線通信装置。
【請求項３７】
前記逆方向リンク電源制御フィールドは、目標の搬送波電力対干渉波電力比を含む、請求項３４記載の無線通信装置。
【請求項３８】
無線通信方法であって、
端末において割り当てメッセージを受信することを含み、前記割り当てメッセージは、
逆方向リンク送信リソースの割り当てとパケットフォーマットを含む割り当て情報と、
前記割り当てられた逆方向リンク送信リソースについての電源制御命令、前記電源制御命令は、前記割り当て情報に含まれた前記パケットフォーマットに少なくとも部分的に基づく、と、
を備える、
方法。
【請求項３９】
前記電源制御命令は、ｎビットの数を備える、請求項３８記載の方法。
【請求項４０】
前記割り当てメッセージを受信することは、電力、および電力スペクトル密度の少なくとも１つを、前記端末に割り当てる、請求項３８記載の方法。
【請求項４１】
前記ＲＬＰＣフィールドは、目標の搬送波電力対干渉波電力比を含む、請求項３８記載の方法。
【請求項４２】
前記パケットフォーマットは、変調フォーマットまたは符号化フォーマットの少なくとも一方を備える、請求項１記載の方法。
【発明の詳細な説明】
【相互参照】
【０００１】
本出願は、２００６年１０月１３日に出願され、「ＣＯＮＴＲＯＬ  ＣＨＡＮＮＥＬ  ＦＯＲ  ＷＩＲＥＬＥＳＳ  ＣＯＭＭＵＮＩＣＡＴＩＯＮ（無線通信のための制御チャネル）」と題された、米国仮特許出願第６０／８２９，３８８号の利益を主張する。本出願の全体は、参照によって本明細書に組込まれる。
【技術分野】
【０００２】
以下の記載は、一般に無線通信システムに関し、特に無線通信システムにおいて割り当てメッセージ送信することに関する。
【背景技術】
【０００３】
無線通信システムは、音声、データなどといった種々のタイプの通信を供給するために広く展開されている。これらのシステムは、利用可能なシステムリソース（例えば、帯域幅及び送信出力）を共有することによって多元接続端末との通信をサポートすることができる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、及び直交周波数分割多元接続（ＯＦＤＭＡ）システムを含む。典型的には、無線通信システムは、幾つかの基地局を備えるが、各基地局は順方向リンク（あるいはダウンリンク）を使用して移動局と通信し、各移動局（あるいはアクセス端末）は逆方向リンク（あるいはアップリンク）を使用して基地局と通信する。
【０００４】
無線多元接続通信システムは、順方向リンク及び逆方向リンク上で複数の端末と同時に通信することができる。複数の端末は、逆方向リンク上でデータを同時に送信してもよく、及び／又は、順方向リンク上でデータを同時に受信してもよい。これは、各リンク上の送信を、時間、周波数及び／又はコードドメインにおいて互いに直交するように多重化することによって、しばしば達成される。
【発明の概要】
【０００５】
下記は、開示される実施形態の幾つかの面の基本的な理解を提供するために、簡略化された概要を提示する。この概要は広範囲な概観ではなく、そのような実施形態の範囲を描写することも、重要な要素若しくは重大な要素を識別することを意図されるものでもない。その目的は、後に提示される、より詳細な記載の前置きとして、開示された実施形態の幾つかの概念を簡略化された形式で提示することにある。
【０００６】
１つ又は複数の実施形態及びその対応する開示によれば、種々の面は、無線ネットワーク環境内の電力スペクトル密度及び／又は割り当て電力に関して記載される。
【０００７】
一面によれば、割り当てメッセージを送信する方法がある。該方法は少なくとも１つの端末のための割り当て情報を生成することを含む。割り当て情報は、逆方向リンク送信リソースの割り当てを含むことができる。該方法はまた、割り当てられた逆方向リンク送信リソースについて少なくとも１つの端末の電源制御命令を生成し、割り当て情報と電源制御命令との両方を含む割り当てメッセージを生成することを含む。割り当てメッセージは、少なくとも１つの端末へ送信することができる。
【０００８】
関連する面では、メモリとプロセッサとを備える無線通信装置がある。メモリは、プロセッサによって生成された命令に関連する情報を格納することができる。プロセッサは、少なくとも１つの端末に逆方向リンク送信リソースを割り当てる割り当て情報と、割り当てられた逆方向リンク送信リソースのための電源制御命令との両方を含む割り当てメッセージを生成し、少なくとも１つの端末への割り当てメッセージの送信を指示するための命令を実行することができる。
【０００９】
別の面は、割り当てメッセージを送信する無線通信装置に関する。該装置は、少なくとも１つの端末のための割り当て情報を生成し、逆方向リンク送信リソースを割り当てる手段と、割り当てられた逆方向リンク送信リソースの少なくとも１つの端末の電源制御命令を生成する手段とを備えることができる。装置にはまた、割り当て情報と電源制御命令との両方を含む割り当てメッセージを生成する手段と、少なくとも１つの端末へ割り当てメッセージを送信する手段とが含まれることができる。
【００１０】
更なる面は、少なくとも１つの端末のための割り当て情報を判定し、割り当てられた逆方向リンク送信リソースの少なくとも１つの端末の電源制御命令を作成するための格納された機械実行可能な命令を有する、機械読み取り可能な媒体に関する。割り当て情報は、逆方向リンク送信リソースの割り当てを含むことができる。機械実行可能な命令はまた、割り当て情報と電源制御命令との両方を含む割り当てメッセージをフォーマットし、少なくとも１つの端末へ割り当てメッセージを送信するためのものである。
【００１１】
無線通信システムにおいて動作可能な装置は関連する一面である。該装置は、少なくとも１つの端末のための割り当て情報を判定するように構成されたプロセッサを備え、割り当て情報は、逆方向リンク送信リソースの割り当てを含む。プロセッサはまた、割り当てられた逆方向リンク送信リソースについて少なくとも１つの端末の電源制御命令を作成し、割り当て情報と電源制御命令との両方を含む割り当てメッセージをフォーマットするように構成することができる。割り当てメッセージは、少なくとも１つの端末へ通信することができる。
【００１２】
前述の目的及び関連する目的の達成のために、１つ又は複数の実施形態は、下記に充分に記載され、特に特許請求の範囲で指摘される特徴を備える。以下の記載及び添付の図面は、一定の例証となる面を詳細に述べ、また、実施形態の原理が使用され得る種々の方法のうちのほんの数例を示す。他の利点及び新規な特徴は、以下の詳細な説明が図面と共に考慮されれば明白になるだろうし、また、開示された実施形態は、そのような面及びそれらの均等物を全て含むことを意図されている。
【図面の簡単な説明】
【００１３】
【図１】図１は、制御チャネルを供給するための種々の実施形態に係る多元接続無線通信システムを示す。
【図２】図２は、無線通信環境においてチャネルリソースを割り当てるシステム例を示す。
【図３】図３は、種々の面に係る順方向リンク制御チャネルを示す。
【図４】図４は、例示の順方向リンク・シグナリングブロックの構造を示す。
【図５】図５は、順方向リンクの共有シグナリングチャネルの一面を表形式で示す。
【図６】図６は、割り当てメッセージを送信する方法を示す。
【図７】図７は、多元接続マルチキャリア通信システムにおける、アクセスポイント及び２つのユーザ端末の実施形態のブロック図を示す。
【図８】図８は、開示された面の１つ又は複数を利用することができるアクセスポイントを示す。
【図９】図９は、割り当てメッセージを送信するためのシステム例を示す。
【詳細な説明】
【００１４】
ここで図面を参照しつつ種々の実施形態が記載される。下記の記載では、説明の目的のため、１つ又は複数の面についての完全な理解を提供するために、多数の特定の詳細が述べられる。しかしながら、そのような実施形態が、これらの特定の詳細無しに実行され得ることは明白であり得る。他の場合には、周知の構造及び装置は、これらの実施形態を記載することを容易にするために、ブロック図の形式で示される。
【００１５】
本願で用いられるように、「コンポーネント」、「モジュール」、「システム」などの用語は、ハードウェア、ファームウェア、ハードウェアとソフトウェアとの組み合わせ、ソフトウェア、又は実行中のソフトウェアのいずれであっても、コンピュータ関連のエンティティを指すことを意図される。例えば、コンポーネントは、プロセッサ上で実行されている処理、プロセッサ、オブジェクト、実行可能な、実行中のスレッド、プログラム、及び／又は、コンピュータであり得るが、これらに限定されない。実例として、コンピューティングデバイス上で実行されるアプリケーションと当該コンピューティングデバイスとの両方が、コンポーネントになり得る。１つ又は複数のコンポーネントは、実行中のスレッド及び／又は処理内に存在することができ、また、コンポーネントは１台のコンピュータにローカル化されてもよいし、及び／又は、２台以上のコンピュータ間で分散されてもよい。また、これらのコンポーネントは、格納された種々のデータ構造を有する様々なコンピュータ読み取り可能な媒体から実行することができる。コンポーネントは、例えば１つ又は複数のデータパケット（例えば、信号経由で他のシステムを備えたインターネットといったネットワークを介して、分散システム、及び／又は、ローカルシステムにおいて別のコンポーネントとやり取りする１つのコンポーネントからのデータ）を有する信号に従ってローカルな処理及び／又は遠隔処理を経由して通信してもよい。
【００１６】
更に、種々の実施形態は、無線端末に関して本明細書に記載される。無線端末は、システム、加入者ユニット、加入者局、移動局、モバイル、モバイル装置、遠隔局、遠隔端末、アクセス端末、ユーザ端末、端末、無線通信装置、ユーザエージェント、ユーザ装置、あるいはユーザ機器（ＵＥ）と称することもできる。無線端末は、携帯電話、コードレス電話、セッション開始プロトコル（ＳＩＰ）電話、ワイヤレス・ローカル・ループ（ＷＬＬ）局、携帯情報端末（ＰＤＡ）、無線接続機能を有するハンドヘルド装置、コンピューティングデバイス、あるいは無線モデムに接続された他の処理装置であってもよい。更に、種々の実施形態は、本明細書において基地局に関して記載される。基地局は無線端末と通信するために利用されてもよく、また、アクセスポイント、ノードＢ、若しくは何らかの他の用語で称されてもよい。
【００１７】
様々な面又は特徴は、多くの装置、コンポーネント、モジュールなどを含み得るシステムの観点から提示されるだろう。様々なシステムは、付加的な装置、コンポーネント、モジュールを含み得ること、及び／又は、図に関連して議論される、装置、コンポーネント、モジュールの全てを含むとは限らないことが理解され、また認識されるべきである。これらのアプローチの組合せも使用されてもよい。
【００１８】
図１は、制御チャネルを供給するための種々の実施形態に係る多元接続無線通信システム１００を示す。更に詳細には、多元接続無線通信システム１００は、複数のセル、例えば、セル１０２、１０４、及び１０６を備える。「セル」という用語は、当該用語が使用される文脈に応じて、アクセスポイント及び／又はそのカバレッジ領域を指すことができる。図１の実施形態では、各セル１０２、１０４、及び１０６は、複数のセクタを含むアクセスポイント１０８、１１０、１１２を備えることができる。「セクタ」という用語は、当該用語が使用される文脈に応じて、アクセスポイント及び／又はそのカバレッジ領域を指すことができる。複数のセクタは、各々がセルの一部におけるアクセス端末との通信を担うアンテナのグループによって形成される。セル１０２では、アンテナ・グループ１１４、１１６、及び１１８は、それぞれ異なるセクタに対応する。セル１０４では、アンテナ・グループ１２０、１２２、及び１２４は、それぞれ異なるセクタに対応する。セル１０６では、アンテナ・グループ１２６、１２８及び１３０は、それぞれ異なるセクタに対応する。
【００１９】
セクタ化されたセルの場合、当該セルの全てセクタのアクセスポイントは、概してセルの基地局内と同じ場所に配置される。本明細書に記載されるシグナリング送信技法は、セクタ化されていないセルを有するシステムだけでなく、セクタ化されたセルを備えるシステムにも使用することができる。簡単にするために、以下の記載において、「基地局」という用語は、セルにサービスする局だけでなく、セクタにサービスする局についても総称的に使用される。基地局は端末と通信する局である。基地局はまた、アクセスポイント、ノードＢ、及び／又は、何らかの他のネットワークエンティティと称されてもよく、また、それらの機能性の一部又は全部を含んでいてもよい。
【００２０】
各セルは幾つかのアクセス端末を備えるが、これらは各アクセスポイントの１つ又は複数のセクタと通信している。端末１２０は、典型的にシステムの全体にわたって分散され、各端末は固定されることも、移動可能とすることもできる。端末はまた、移動局、ユーザ機器、及び／又は、何らかの他の装置と称されてもよく、これらの機能性のうちの一部又は全てを含んでもよい。端末は、ワイヤレス装置、携帯電話、携帯情報端末（ＰＤＡ）、無線モデムカードなどとすることもできる。端末は、任意の所与の瞬間に、０個、１個、あるいは複数個の基地局と順方向リンク及び逆方向リンク上で通信することができる。例えば、アクセス端末１３２、１３４、１３６、及び１３８は基地局１０８と通信をしており、アクセス端末１４０、１４２、及び１４４はアクセスポイント１１０と通信をしており、また、アクセス端末１４６、１４８、及び１５０はアクセスポイント１１２と通信をしている。
【００２１】
例えば、セル１０４に示されるように、各アクセス端末１４０、１４２、及び１４４は、同じセルのアクセス端末とは互いに異なる、そのそれぞれのセルの異なる部分に設置される。更に、各アクセス端末１４０、１４２、及び１４４は、それが通信している対応するアンテナ・グループからは異なる距離にあり得る。これらの要因の両方が、またセルの環境上の条件及び他の条件にも起因して、各アクセス端末とそれが通信しているその対応するアンテナ・グループとの間に異なるチャネル条件を存在させる状況を供給する。
【００２２】
コントローラ１５２は、セル１０２、１０４、及び１０６の各々に結合され、それぞれの基地局に調整及び制御を供給する。コントローラ１５２は、単独のネットワークエンティティあるいはネットワークエンティティの集まりとすることができる。分散型アーキテクチャの場合、基地局は必要に応じて互いに通信することができる。コントローラ１５２は、多元接続無線通信システム１００のセルと通信しているアクセス端末へ情報を供給し、またアクセス端末からの情報を供給する回線交換音声ネットワーク、他のパケットベースのネットワーク、あるいは、インターネットといった複数のネットワークへの１つ又は複数の接続を含むことができる。コントローラ１５２は、アクセス端末からの送信及びアクセス端末への送信をスケジュールするスケジューラを含むか、スケジューラと結合される。幾つかの実施形態において、スケジューラは、各個別のセル、セルの各セクタ、あるいはこれらの組み合わせに存在することができる。
【００２３】
図１は、物理的なセクタ（例えば、異なるセクタに対して異なるアンテナ・グループ有する）を描写しているが、他のアプローチを利用することができることが注目されるべきである。例えば、物理的なセクタの代わりに、あるいは、物理的なセクタと組み合わせて、各々が周波数空間のセルの異なる領域をカバーする、複数の固定された「ビーム（beams）」を利用することを利用することができる。
【００２４】
スケーラブル帯域幅（scalable bandwidth）のサポートと共に、全二重周波数分割複信（ＦＤＤ）及び半二重周波数分割複信（ＦＤＤ）並びに時分割複信（ＴＤＤ）の動作モードをサポートする、無線通信システム設計の１つ又は複数の面が、本明細書に記載される。しかしながら、これが事例（the case）である必要はなく、先のモードに加えて、あるいは先のモードに代えて、他のモードをサポートすることもできる。システムは、ＭＩＭＯ（multiple input multiple output）及び空間分割多元接続（ＳＤＭＡ）サポートのようなアンテナ技法と共に直交周波数分割多元接続（ＯＦＤＭＡ）順方向リンク（ＦＬ）を使用する。しかしながら、そのようなアンテナ技法はサポートされなくてもよい。
【００２５】
幾つかの面において、逆方向リンクは、準直交（例えば、それはＯＦＤＭＡに基づいた直交送信、及び複数の受信アンテナを用いた非直交送信を使用する）とすることができる。更に、幾つかの面において、干渉管理はカバレッジ及び端のユーザのパフォーマンスを改善する、部分周波数繰り返し（fractional frequency reuse）（ＦＦＲ）によって達成することができる。更に、１つ又は複数の面において、ＦＦＲは帯域幅利用を最適化する動的なＦＦＲとすることができる。ある面において、逆方向リンクは、ＣＤＭＡ、ＯＦＤＭＡ、ＴＤＭＡ、あるいはこれらの組み合わせを使用して、種々の制御チャネルの統計的多重化でセグメントを制御する。ある面において、システムは、速い要求及び低減されたオーバヘッドを備えた速いアクセスを使用する。幾つかの面によれば、逆方向リンクは、サブバンド・スケジューリング及び電力制御のために広帯域の参照信号（broadband reference signal）を使用する。効率的なハンドオフ・サポートも、１つ又は複数の面において、供給することができる。
【００２６】
幾つかの面において、複数のアンテナ技法は、順方向リンクプレコーディング及びＳＤＭＡ、低速のフィードバックを備えたＭＩＳＯ／ＭＩＭＯ（multiple input single output/multiple input multiple output）閉ループ・プレコーディングを含むことができる。ある面において、層ごとのレート適応を用いる階層化ＭＩＭＯ（layered MIMO）あるいはマルチコードワード（multi-codeword）（ＭＣＷ）も利用することができる一方、ランク適応及び閉ループレートを用いるシングルコードワード（single codeword）（ＳＣＷ）ＭＩＭＯスキームもサポートすることができる。
【００２７】
図２は、無線通信環境でチャネルリソースを割り当てるシステム例２００を示す。システム２００は、受信機２０４と無線通信する送信機２０２を備える。例えば、送信機２０２は基地局とすることができ、また、受信機２０４は通信装置とすることができる。システム２００は、１つ又は複数の送信機２０２と、１つ又は複数の受信機２０４とを備え得ることが理解されるべきである。しかしながら、簡単にするために、１つの受信機のみと１つの送信機のみが示されている。
【００２８】
送信機２０２は、各受信機２０４にチャネル（例えば、リソース）を明示的に割り当て、且つ、１つ又は複数の受信機２０４へ割り当てメッセージ（assignment message）を通信するように構成することができる。送信機２０２は、少なくとも１つの受信機２０４のための割り当て情報を作るように構成することができる割り当て生成器２０６を備えることができる。割り当てジェネレータ２０６は、逆方向リンク送信リソースを割り当てるように更に構成することができる。
【００２９】
送信機２０２にはまた、割り当てられた逆方向リンク送信リソース用の１つ又は複数の受信機２０４の電源制御命令を生成するように構成することができる命令作成器２０８を含むことができる。命令はｎビットの数を生成することを含むことができるが、ここでｎは整数である。幾つかの面によれば、ｎは５に等しい。命令作成器２０８は、割り当て情報に含まれているパケットフォーマットに基づいて、電源制御命令を生成することができる。
【００３０】
メッセージ生産器２１０は、割り当て情報と電源制御命令との双方あるいはいずれかを含むことができる割り当てメッセージを生成するように構成することができる。割り当てメッセージは、端末による逆方向リンク送信に対してアクセスポイントによって割り当てられる送信電力スペクトル密度（power spectral density）（ＰＳＤ）を示す逆方向リンク電源制御（Reverse Link Power Control）（ＲＬＰＣ）フィールド５０８を含むことができる。ある面において、ＲＬＰＣは、割り当てられたパケットフォーマットに関連付けられたｎビットの数に量子化されてもよいが、ここでｎは整数である。幾つかの面によれば、ＲＬＰＣフィールドは、少なくとも１つの端末がその現在の電力スペクトル密度値を保持するべきであることを示す特別な値を含む。あるいは、ＲＬＰＣフィールドは、少なくとも１つの端末が、対応する送信電力スペクトル密度値を、通知されたＩｏＴレベル（interference-over-thermal level）に基づいて推測するために、目標の希望波電力対干渉波電力比（target carrier to interference ratio）を含む。
【００３１】
この割り当てメッセージは、１つ又は複数の受信機２０４から通信を受信及び／又は送信するように構成されるコミュニケータ２１２によって受信機２０４へ送信される。シグナリング・メッセージに関する更なる情報は、図４及び図５を参照しつつ、下記に更に詳細に議論されるだろう。
【００３２】
システム２００は、１つ又は複数の受信機２０４のための電力制御命令と割り当て情報との双方又はいずれかを含む割り当てメッセージの生成に関する命令を実行するために送信機２０２（及び／又は、メモリ２１６）に動作可能に接続されたプロセッサ２１４を備えることができる。電源制御命令は、割り当てられた逆方向リンク送信リソースを対象とし得る。プロセッサ２１４はまた、１つ又は複数の受信機２０４への割り当てメッセージの送信に関する命令を実行することができる。
【００３３】
幾つかの面によれば、プロセッサ２１４は、１つ又は複数の受信機２０４のための割り当て情報の生成、及び／又は逆方向リンク送信リソースの割り当てに関する命令を実行することができる。プロセッサ２１４はまた、割り当てられた逆方向リンク送信リソース用の１つ又は複数の受信機２０４の電源制御命令の生成に関する命令を実行することができる。
【００３４】
プロセッサ２１４は、送信機２０２によって受信される情報を分析すること、及び／又は、生成すること専用のプロセッサとすることができる。プロセッサ２１４はまた、システム２００の１つ又は複数のコンポーネントを制御するプロセッサとすることができ、及び／又は、送信機２０２によって受信された情報の分析及び生成の双方を行い、システム２００の１つ又は複数のコンポーネントを制御するプロセッサとすることができる。
【００３５】
メモリ２１６は、プロセッサ２１４によって実行される命令と関係する情報、及び無線通信ネットワークにおいて情報を送信することに関係する他の適切な情報を格納することができる。メモリ２１６は更に、システム２００が、本明細書に記載されるように無線ネットワークで情報を送信するための格納されたプロトコル及び／又はアルゴリズムを使用できるように、送信機２０２と受信機２０４との間の通信を制御するために措置を講ずるための情報を格納することができる。
【００３６】
本明細書に記載されるデータストア（例えば、メモリ）コンポーネントは、揮発性メモリ若しくは不揮発性メモリのいずれであってもよく、あるいは、揮発性メモリ及び不揮発性メモリの両方を備えることができることが認識されるべきである。制限ではなく例として、不揮発性メモリは、読み出し専用メモリ（ＲＯＭ）、プログラマブルＲＯＭ（ＰＲＯＭ）、電気的にプログラム可能なＲＯＭ（ＥＰＲＯＭ）、電気的消去可能なＲＯＭ（ＥＥＰＲＯＭ）、又はフラッシュメモリを備えることができる。揮発性メモリは、ランダムアクセスメモリ（ＲＡＭ）を備えることができるが、これは外部のキャッシュメモリとしての機能を果たす。制限ではなく例として、ＲＡＭは、シンクロナスＲＡＭ（ＤＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトＲａｍｂｕｓＲＡＭ（ＤＲＲＡＭ（登録商標））といった多くの形式で利用可能である。開示された実施形態のメモリ２１６は、これら及び他の適切なタイプのメモリに限定されることなく、これら及び他の適切なタイプのメモリを備えることを意図される。
【００３７】
ここで図３を参照すると、種々の面に係る順方向リンク制御チャネル３００が示されている。図解され且つ記載される順方向リンク制御チャネル３００は、例示であって、他のチャネルを使用することができ、チャネルのうちの幾つかは省略することができ、あるいは、それらの組み合わせを利用することができることが理解されるべきである。例示の順方向リンク制御チャネル３００は、ＵＨＤＲ（Ultra High Data rate）−Ｏｎｅ  ＦＤＤのために利用することができる。
【００３８】
媒体アクセス制御（ＭＡＣ）プロトコル３０２は、図の上部に示され、物理的な（ＰＨＹ）チャネル３０４は図の下部に示される。ＭＡＣプロトコル３０２は、制御チャネル（ＣＣ）ＭＡＣ３０６、順方向トラヒックチャネル（ＦＴＣ）ＭＡＣ３０８、及び共有信号（ＳＳ）ＭＡＣ３１０を備えることができる。
【００３９】
ＰＨＹチャネル３０４は、第１の順方向リンク・プライマリ・ブロードキャスト・チャネル（Ｆ−ｐＢＣＨ０）、第２の順方向リンク・プライマリ・ブロードキャスト・チャネルＦ−ｐＢＣＨ１  ３１４、及び順方向リンク他セクタ干渉インジケータ・チャネル（Ｆ−ＯＳＩＣＨ）３１６を備えることができる。Ｆ−ｐＢＣＨ０  ３１２は、配置特定のパラメータ（deployment specific parameters）を伝えるブロードキャストチャネルである。Ｆ−ｐＢＣＨ１  ３１４は、セクタ特定のパラメータを伝えるブロードキャストチャネルである。Ｆ−ＯＳＩＣＨ  ３１６は、セクタ間干渉の表示を伝えるブロードキャストチャネルである。
【００４０】
ＰＨＹチャネル３０４には、順方向リンク捕捉チャネル（Ｆ−ＡＣＱＣＨ）３１８、順方向リンク共通パイロットチャネル（Ｆ−ＣＰＩＣＨ）３２０及び順方向リンク専用パイロットチャネル（Ｆ−ＤＰＩＣＨ）３２２も含まれることができる。他のＰＨＹチャネル３０４は、順方向リンク制御シグナリングを伝える共有制御チャネル（Ｆ−ＳＣＣＨ）３２４を備えることができる。４位相偏移変調（ＱＰＳＫ）、８ＰＳＫ（位相同期）、１６ＱＡＭ（直交振幅変調）、６４ＱＡＭ、及び／又は、他の変調フォーマットをサポートすることができるデータ（トラヒック）チャネル（Ｆ−ＤＣＨ）３２６も含まれており、従って、広範囲のスペクトル効率を可能にすることができる。
【００４１】
順方向リンク制御チャネルは、順方向リンク及び逆方向リンクリのソースの割り当て及び管理のために利用される。幾つかの面において、順方向リンク制御チャネルは、それぞれのパケットフォーマットを特定し、アイドル状態のユーザにアクセスを許可し、逆方向リンク送信を承認し、逆方向リンク電源制御コマンドを送信し、他セクタ干渉表示を送信し、又はこれらの組合せのために利用することができる。順方向リンク制御チャネルは、順方向リンク共有制御チャネル（Ｆ−ＳＣＣＨ）と呼ばれる単一の物理層チャネルに結合されることができるが、該結合はまた、論理的なリソースであってもよく、あるいは別個のチャネルであってもよい。
【００４２】
「ブロック」と称される、順方向リンクシグナリング・メッセージの選択は、図４に示されるが、これは例示の順方向リンク・シグナリングブロックの構造を備える。用語ブロックは、如何なる特定の送信あるいはチャネル化構造（channelization structure）にも限定されない。表４００の列は、異なるフィールドを示す一方で、行は異なるシグナリング・ブロックに対応する。表中の全てのセルは、所与のフィールドの多様性を示す。ｘビットのブロックタイプフィールドは、なおｘは整数であるが、端末がブロックのタイプを識別すること、従って、次のフィールドを解釈することを可能にする。全てのブロックの情報ビットのセットは、信頼できる検出を容易にすることを支援するために１６ビットの巡回冗長検査（ＣＲＣ）によって拡張される。
【００４３】
非永続型の（non-persistent）順方向リンク割り当てブロック（ＦＬＡＢ）４０２と呼ばれるメッセージは、目標端末のＭＡＣ  ＩＤ  ４０４を含んでいるが、これはブロードキャストＭＡＣ  ＩＤ  ４０４であり得る。チャネルＩＤ（Ｃｈａｎ  ＩＤ）４０６は、（例えば、使用中のチャネルツリーによって）割り当てられたホップポート（hop-ports）を示す。ＦＬＡＢメッセージ４０２はまた、使用するパケットフォーマット（ＰＦ）４０８、この割り当てによって占められるＰＨＹフレームの数、及び拡張された送信期間を当該割り当て（各Ｈ−ＡＲＱ送信は複数のＰＨＹフレームにまたがる）に使用するべきか否かの表示（拡張ＴＸ  ４１０によって表示されている）を含む。ＰＦ４０８は、変調、符号化及び専用のパイロットフォーマットを指定することができる。パケット失敗（packet failure）に起因して明示的に割り当てが取り消されるか失われるまで続く他の割り当てとは異なり、この割り当ては所定の数のフレームの間存続し、ブロードキャストメッセージ又はマルチキャストメッセージを送信するために主として使用される。
【００４４】
アクセス許可メッセージ４１２は、端末によるアクセスの試みを承認し、最初の逆方向リンクチャネル割り当て及びＰＦ４０８と共に新規のＭＡＣ  ＩＤ  ４０４を割り当て、基地局又はアクセスノードの逆方向リンクタイミングと端末がその逆方向リンク送信を合わせるための６ビットのタイミング調整を供給するために利用される。アクセス許可４１２に対応する変調シンボルのシーケンスは、端末によって送信された先行するアクセスプローブ（access probe）のインデックスに従ってスクランブルされる。これは、端末が、送信したプローブシーケンスに対応するアクセス許可ブロックにのみ応答することを可能にする。
【００４５】
順方向リンク割り当てブロック（ＦＬＡＢ）４０２は、アクティブな端末（ＭＡＣ  ＩＤ）への順方向リンクリソース割り当てを、ＰＦ４０８によって示されたスペクトルの効率及びＣｈａｎＩＤ４０６によって示されて割り当てられたリソースで合図する（signals）。このメッセージ中のフィールドは補足の割り当てフラグである。補足の割り当てフラグが設定される場合、それは新規のパケットから始まる効果を現わすインクリメンタルな割り当てを示す。補足の割り当てフラグが設定されない場合、新規の割り当ては既存の割り当てに取って代わる。逆方向リンク割り当てブロック（ＲＬＡＢ）４１４は、順方向リンク割り当てブロック（ＦＬＡＢ）に類似する逆方向リンクリソース割り当てを合図する。
【００４６】
如何なる割り当てメッセージも、割り当てメッセージで示されたＣｈａｎ  ＩＤに対応するリソースを現在使用している端末から、自動的にリソースの割り当てを取り消す（deassigns）ことが注意されるべきである。従って、割り当てメッセージは、それらが割り当てによって指定されたリソースの任意の現在の所有者と同様に、割り当ての意図された受信側も目標とするので、多くの場合マルチキャストである。
【００４７】
マルチコードワード（ＭＣＷ）ＦＬＡＢ４１６及び４１８は、ＭＩＭＯマルチコードワードモードの端末に使用することができる順方向リンク割り当てブロックである。他の割り当てメッセージとは異なり、ＭＣＷ  ＦＬＡＢ４１６及び４１８は、（多くても）４つのＭＩＭＯ層（コードワード）に対応する４つのパケットフォーマットを示す。表４００に示されるように、この割り当てメッセージは２つの部分へ分割される。使用中の層の数が４未満である場合、残りのＰＦフィールドは０に設定される。単独のコードワード（ＳＣＷ）ＭＩＭＯ  ＦＬＡＢ４２０は、それがＭＩＭＯ送信のランクも示すこと以外は、ＦＬＡＢに類似している。
【００４８】
図５は、Ｆ−ＳＣＣＨの別の面を表形式５００で示す。一面によれば、ＦＬＡＢ５０２あるいはＲＬＡＢ５０６は、利用されるＨ−ＡＲＱスケジュール（timeline）を示す１ビットのフィールド「Ｈ−ＡＲＱ」５０６を備え得る。利用されたＨ−ＡＲＱ５０６は２つ以上の可能なスケジュールのうちの１つであり得る。例えば、８つのインターレースの送信時間間隔に対して６つのインターレースの代案が利用されてもよい。
【００４９】
上記に記載された面では、ＲＬＡＢ５０４のための逆方向リンク電源制御（ＲＬＰＣ）フィールド５０８が含まれている。ＲＬＣＰフィールド５０８は、端末による逆方向リンク送信にアクセスポイントによって割り当てられる送信ＰＳＤを示す。ある面において、これは、割り当てられたパケットフォーマットに関連付けられたｎビットの数に量子化されてもよいが、ここでｎは整数である。
【００５０】
更に、一面では、適応性のあるリソース・シェアリングに従ったパケットデータ制御割り当て（ＰＤＣＡＭ）メッセージ５１０は、ＳＣＣＨの一部として利用されてもよい。ＰＤＣＡＭ５１０は、未使用のＦ−ＳＣＣＨリソースのビットマスクと２ビットのサブビットマップインデックスを含むことができる。ある面において、未使用のＦ−ＳＣＣＨセグメントのビットマップは、各サブマップがＦ−ＳＣＣＨセグメント内に適合するように、複数のサブビットマップを備えることができる。
【００５１】
更に、重ね合わせられた順方向リンクＳＩＭＯ及びＭＩＭＯ割り当ては、ＦＬＡＢに含まれてもよい。例えば、これらの割り当ては、他の端末に永続して割り当てられたリソースを利用することができる。更に、他の端末に永続して割り当てられたリソースは、ビットマップキープアライブ（bitmap keep-alive）送信の提案と一致するキープアライブビットマップに示されるように、使用されてない場合に利用される。
【００５２】
幾つかの面によれば、重ね合わされた（superposed）割り当ては、他の端末に永続的に割り当てられたリソースを含む非永続的な順方向リンク割り当てになり得る。ある面において、端末は、一定のノードが他の端末に永続的に割り当てられるリソース（例えば、ノード（Ｃｈａｎ  ＩＤ））の集まりを割り当てられる。更なる面において、所与のフレームにおいて未使用の全てのＦ−ＤＣＨリソース（Ｃｈａｎ  ＩＤ）は、重ね合わされた割り当てのデータで変調される。ある面において、これは、現在のフレームにおいて使用されていないが他の端末に永続的に割り当てられたリソースだけでなく、他の端末に割り当てられていないリソースも備えることができる。しかしながら、オプションのうちの幾つかだけが利用されてもよい。
【００５３】
ある面において、重ね合わされた割り当てを備える端末は、キープアライブビットマップを復調して、その割り当ての内のどのリソースが使用可能であるのかを判定する。重ね合わされた割り当てで受信されたメッセージを認めるために（ＡＣＫ）、端末は、最も低いＣｈａｎ  ＩＤを備えた「利用可能な」ノードに関連付けられたセグメント又はＡＣＫチャネルで肯定応答を送信することができる。ＭＣＷに重ね合わされた割り当ての場合、Ｎ個の層のための肯定応答は、最も低いＮ個のＣｈａｎ  ＩＤに関連付けられたセグメント又はＡＣＫチャネルで送信されてもよい。
【００５４】
ある面において、アクセス端末は、補足のフラグ＝「０」を備えたＮＵＬＬ  ＰＦを備えたｘＬＡＭを受信する場合、Ｃｈａｎ  ＩＤによって定義される新規のリソースを備えたリソース再割り当てを示すものとしてｘＬＡＭを解釈することができる。これは、例えば、次のＨ−ＡＲＱ送信に適用する再割り当てであり得る。
【００５５】
ある面において、アクセス端末は、補足のフラグ＝「１」を備えたＮＵＬＬ  ＰＦを備えたｘＬＡＭを受信する場合、Ｈ−ＡＲＱ送信の付加的な最大数のための現在の割り当ての拡張を示すものとしてｘＬＡＭを解釈し得る。これは、例えば、有効なＣｈａｎ  ＩＤは新規のリソースを示し、無効なＣｈａｎ  ＩＤは古いリソースを維持すると解釈することができる。
【００５６】
更に又はあるいは、アクセス端末は、無効のＣｈａｎ  ＩＤ及び補足のフラグ＝「０」を備えたｘＬＡＭを受信し、端末が有効な割り当てを有する場合、ｘＬＡＭを割り当ての取り消しを示すものとして解釈することができる。更に、一面によれば、アクセス端末は、無効のＣｈａｎ  ＩＤ及び補足のフラグ＝「１」を受信し、端末が有効な割り当てを有する場合、現在の割り当ての停止（suspension）を示すものとしてｘＬＡＭを解釈することができる。
【００５７】
更なる面によれば、アクセス端末は、無効なＣｈａｎＩＤ及び補足のフラグ＝「１」を備えたｘＬＡＭを受信し、端末が停止された割り当てを有する場合、停止された割り当ての再開を示すものとしてｘＬＡＭを解釈し得る。これは、例えば、有効なＣｈａｎＩＤは新規のリソースを示し、無効なＣｈａｎＩＤは古いリソースを維持すると解釈されることができる。
【００５８】
上記に議論されたメッセージの１つ又は複数のメッセージは、単独のメッセージへ結合されることもできるし、あるいは、２つ以上のメッセージに広げられることもできることが注目されるべきである。
【００５９】
Ｆ−ＳＣＣＨは、ＦＤＭ、あるいは各ＰＨＹフレームに存在する他のチャネル化されたチャネルであってもよい。Ｆ−ＳＣＣＨ帯域幅は、所定のサイズの多数のセグメントへ再分割される。セグメント化情報は、オーバヘッドチャネルで合図される。第１のセグメントはシグナリング・メッセージを伝え、また、充分に使用されない場合はゼロパッドされ（zero-padded）てもよい。各メッセージの変調シンボルは、最大のダイバーシティを確実にするためにＦ−ＳＣＣＨ割り当て全体にわたってインタリーブされることができる。
【００６０】
図６は、割り当てメッセージを送信する方法６００を示す。説明を簡単にするために、方法は一連のブロックとして示され且つ記載されるが、請求される主題はブロックの数又は順序によって限定されず、幾つかのブロックは本明細書に記載され且つ描写されるものとは異なる順序で、及び／又は、他のブロックと同時に生じ得ることが理解され且つ認識されるべきである。更に、記載された方法を実施するために、図示されたブロックの全てが必要とされないことがあり得る。ブロックに関連付けられた機能性は、ソフトウェア、ハードウェア、これらの組み合わせ、又は任意の他の適切な手段（例えば、装置、システム、処理、コンポーネント）によって実施されてもよいことが認識されるべきである。また、以下に開示され、また本明細書全体に渡って開示される方法は、そのような方法論を種々の装置に移転し、輸送することを容易にするために製造品に格納されることができることが更に認識されるべきである。当業者は、方法論が、例えば状態図におけるように、一連の相互関係がある状態あるいは事象として代わりに表わされ得ることを理解し且つ認識するだろう。
【００６１】
方法６００は、割り当て情報が１つ又は複数の端末用に生成される、６０２で開始する。割り当て情報は逆方向リンク送信リソースを割り当てることを含むことができる。電源制御命令は６０４で作成される。電源制御命令は、１つ又は複数の端末用であり、また、割り当てられた逆方向リンク送信リソース用である。電源制御命令を作成することは、ｎビットの数を生成することを含むことができる。幾つかの面によれば、電源制御命令を作成することは、割り当て情報に含まれるパケットフォーマットに基づく。
【００６２】
６０６で、割り当てメッセージが生成される。割り当てメッセージは、割り当て情報と電源制御命令との両方を含むことができる。割り当てメッセージは、端末による逆方向リンク送信にアクセスポイントによって割り当てられる送信電力スペクトル密度（ＰＳＤ）を示す逆方向リンク電源制御（ＲＬＰＣ）フィールド５０８を備えることができる。幾つかの面によれば、端末は、アクセスポイントによって通知された（advertised）（目標の）ＩｏＴ（interference-over-thermal）レベルを受信することができ、また、ＩｏＴを、ＳＮ比（ＳＮＲ）又は目標の希望波電力対干渉波電力（Ｃ／Ｉ）比の観点から定義されるＰＳＤに変換することができる。ある面において、ＲＬＰＣは、割り当てられたパケットフォーマットに関連付けられたｎビットの数に量子化され得るが、ここでｎは整数である。６０８で、割り当てメッセージは１つ又は複数の端末へ送信される。割り当てメッセージを送信することは、１つ又は複数の受信機に、電力及び／又は電力スペクトル密度を割り当てる。
【００６３】
幾つかの面によれば、ＲＬＰＣフィールドは、端末がその現在のＲＬＰＣ値を保持するべきであることを端末に示す特別な値を含むことができる。この特別な値は、隣接したアクセスポイントから受信された速い干渉制御コマンドに直接基づいて、端末がその送信ＰＳＤレベルを調節する状況で利用することができる。この状況において、サービング・アクセスポイントは、速い干渉管理に起因して、端末における現在のＰＳＤ設定に気づいていないことがあり得る。従って、サービング・アクセスポイントは、設定を無効にする代わりに、端末にその現在の設定を保持するように指示することを決定し得る。
【００６４】
図７は、多元接続マルチキャリア通信システム７００における、アクセスポイント７１０ｘと２つのユーザ端末７２０ｘ及び７２０ｙとの実施形態のブロック図を示す。アクセスポイント７１０ｘでは、送信（ＴＸ）データプロセッサ７１４は、データソース７１２からトラヒックデータ（例えば、情報ビット）を受信し、シグナリング及び他の情報をコントローラ７２０及びスケジューラ７３０から受信する。例えば、コントローラ７２０は、アクティブな端末の送信電力を調製するために使用される電源制御（ＰＣ）コマンドを供給することができ、スケジューラ７３０は、端末に搬送波の割り当てを供給することができる。これらの種々のタイプのデータは、異なるトランスポートチャネル上で送信されてもよい。ＴＸデータプロセッサ７１４は、受信されたデータを、マルチキャリア変調（例えば、ＯＦＤＭ）を使用して符号化し且つ変調して、変調されたデータ（例えば、ＯＦＤＭシンボル）を供給する。送信機ユニット（ＴＭＴＲ）７１６は、変調されたデータを処理して、アンテナ７１８から送信されるダウンリンク変調信号を生成する。
【００６５】
各ユーザ端末７２０ｘ及び７２０ｙでは、送信され且つ変調された信号が、アンテナ７５２によって受信され、受信機ユニット（ＲＣＶＲ）７５４に供給される。受信機ユニット７５４は、受信された信号を処理し且つデジタル化して、サンプルを供給する。受信される（ＲＸ）データプロセッサ７５６は、サンプルを復調し且つ復号して、復号されたデータを供給するが、これは回復された（recovered）トラヒックデータ、メッセージ、シグナリングなどを含むことができる。トラヒックデータは、データシンク７５８へ供給されることができ、端末のために送信されたＰＣコマンド及び搬送波割り当ては、コントローラ７６０に供給される。
【００６６】
コントローラ７６０は、受信された割り当てで示され、端末に割り当てられたリソースを使用して、アップリンクでのデータ送信を指示する。コントローラ７６０は更に、送信する実際のデータは無いが、コントローラ７６０は割り当てられたリソースを維持することを望む場合に、抹消署名パケット（erasure signature packets）を投入する（injects）。
【００６７】
コントローラ７２０は、端末に割り当てられたリソースを使用して、ダウンリンクでのデータ送信を指示する。コントローラ７２０は更に、送信する実際のデータは無いが、コントローラ７６０は割り当てられたリソースを維持することを望む場合、抹消署名パケットを投入する。
【００６８】
各アクティブな端末７２０については、ＴＸデータプロセッサ７７４はデータソース７７２からトラヒックデータを受信し、シグナリング及び他の情報をコントローラ７６０から受信する。例えば、コントローラ７６０は、チャネル品質情報、要求される送信電力、最大の送信電力、あるいは、端末についての最大の送信電力と要求される送信電力との間の差異を示す情報を供給することができる。種々のタイプのデータは、割り当てられた搬送波を使用し、ＴＸデータプロセッサ７７４によって符号化され且つ変調され、送信機ユニット７７６によって更に処理されて、アンテナ７５２から送信されるアップリンク変調信号を生成する。
【００６９】
アクセスポイント７１０ｘでは、ユーザ端末からの送信され且つ変調された信号は、アンテナ７１８によって受信され、受信機ユニット７３２によって処理され、ＲＸデータプロセッサ７３４によって復調され且つ復号化される。受信機ユニット７３２は、各端末の受信された信号品質（例えば、受信されたＳＮ比（ＳＮＲ））を推定し、この情報をコントローラ７２０へ供給する。コントローラ７２０は、端末用の受信された信号品質が許容できる範囲内に維持されるように各端末のＰＣコマンドを得ることができる。ＲＸデータプロセッサ７３４は、各端末用に回復されたフィードバック情報（例えば、要求された送信電力）をコントローラ７２０及びスケジューラ７３０に供給する。
【００７０】
スケジューラ７３０は、リソースを維持するためにコントローラ７２０へ表示を供給することができる。この表示は、より多くのデータが送信されることが予定されている場合に供給される。アクセス端末７２０ｘについては、コントローラ７６０は、リソースが維持されることが要求されるかどうかを判定することができる。一定の面において、コントローラ７２０は、スケジューラ７３０の機能性を供給する命令を実行することができる。
【００７１】
更に、コントローラ７２０は、本明細書で議論される機能の一部又は全部を、アクセスポイントに関して個別に又は任意の組合せで実行することができる。また、コントローラ７６０は、本明細書で議論される機能の一部又は全部を、アクセス端末に関して個別に又は任意の組合せで実行することができる。
【００７２】
図８は、メインユニット（ＭＵ）８５０及び無線ユニット（ＲＵ）８７５を備えることができるアクセスポイント８００を示す。ＭＵ８５０は、アクセスポイントのデジタル・ベースバンド・コンポーネントを備える。例えば、ＭＵ８５０は、ベースバンド・コンポーネント８０５及びデジタル中間周波数（ＩＦ）処理ユニット８１０を備えることができる。デジタルＩＦ処理ユニット８１０は、フィルタリング、チャネル化、変調などといった機能を行なうことによって中間周波数における無線チャネルデータをデジタル処理する。ＲＵ８７５は、アクセスポイントのアナログ無線部を備えている。本明細書で用いられるように、無線ユニットは、移動通信交換局（mobile switching center）又は対応するデバイスへの直接的な又は間接的な接続を有する、他のタイプのトランシーバ局又はアクセスポイントのアナログ無線部である。無線ユニットは、典型的には、通信システムの特定のセクタにサービスする。例えば、ＲＵ８７５は、モバイル加入者ユニットから無線通信を受信するために１つ又は複数のアンテナ８３５ａ及び８３５ｔに接続された１つ又は複数の受信機８３０を備えることができる。ある面において、１つ又は複数の電力増幅器８８２及び８８２ｔは、１つ又は複数のアンテナ８３５ａ及び８３５ｔに結合される。
【００７３】
受信機８３０には、アナログ・デジタル（Ａ／Ｄ）コンバータ８２５が接続される。Ａ／Ｄコンバータ８２５は、受信機８３０によって受信されたアナログ無線通信を、デジタルＩＦ処理ユニット８１０を介してベースバンド・コンポーネント８０５へのデジタル入力へ変換する。ＲＵ８７５はまた、アクセス端末に無線通信を送信するために同じか異なるアンテナ８３５に接続された１つ又は複数の送信機８２０を備えることができる。デジタル・アナログ（Ｄ／Ａ）コンバータ８１５には送信機８２０が接続される。Ｄ／Ａコンバータ８１５は、ベースバンド・コンポーネント８０５から受信されたデジタル通信を、デジタルＩＦ処理ユニット８１０を介してモバイル加入者ユニットへの送信のためのアナログ出力へ変換する。
【００７４】
幾つかの実施形態によれば、マルチプレクサ８８４は、複数のチャネルの信号を多重化し、音声信号及びデータ信号を含む様々な信号を多重化する。中央処理装置８８０は、音声又はデータ信号の処理を含む種々の処理を制御するための無線ユニット及びメインユニット８５０に結合される。
【００７５】
図９を参照すると、割り当てメッセージを送信するシステム例９００が示されている。例えば、システム９００は、基地局内に少なくとも部分的に存在し得る。システム９００は機能ブロックを備えるものとして表わされているが、これらはプロセッサ、ソフトウェア、あるいはその組合せ（例えば、ファームウェア）によって実施される機能を表わす機能ブロックであり得ることが認識されるべきである。
【００７６】
システム９００は、別々にあるいは協働して作動することができる電子部品の論理的なグループ（logical grouping）９０２を備える。例えば、論理的なグループ９０２は、少なくとも１つの端末用の割り当て情報９０４を生成し、逆方向リンク送信リソースを割り当てる電子部品を備え得る。更に、論理的なグループ９０２は、割り当てられた逆方向リンク送信リソース用の少なくとも１つの端末の電源制御命令９０６を生成する電子部品を備えることができる。割り当てメッセージ９０８を生成する電子部品も備えられている。割り当てメッセージは、割り当て情報と電源制御命令との両方を含むことができる。少なくとも１つの端末へ割り当てメッセージ９１０を送信する電子部品も備えられている。
【００７７】
また、システム９００は、電子部品９０４、９０６、９０８及び９１０又は他のコンポーネントに関連付けられた機能を実行するための命令を保持するメモリ９１２を備えることができる。メモリ９１２の外部にあるものとして示されているが、電子部品９０４、９０６、９０８及び９１０又は他のコンポーネントのうちの１つ又は複数は、メモリ９１２の内部に存在してもよいことが理解されるべきである。
【００７８】
開示された処理のステップの特定の順序又は階層は、例示のアプローチの例であることが理解される。設計の嗜好に基づいて、本開示の範囲内にとどまりつつ、処理のステップの特定の順序又は階層が並べ替えられてもよいことが理解される。添付の方法クレームは、種々のステップの要素を見本の順序で提示しており、提示された特定の順序又は階層に限定されることは意図されていない。
【００７９】
当業者は、情報及び信号が様々な異なる技術及び技法のうちの任意のものを用いて表され得ることを理解するだろう。例えば、上記の記載の全体にわたって言及され得る、データ、命令、コマンド、情報、信号、ビット、シンボル、及びチップは、電圧、電流、電磁波、磁界若しくは磁性粒子、光学場若しくは光学粒子、又はこれらの任意の組み合わせによって表わされてもよい。
【００８０】
当業者は更に、本明細書に開示された実施形態に関連して記載された、種々の例証となる論理ブロック、モジュール、回路、及びアルゴリズムのステップが、電子ハードウェア、コンピュータソフトウェア、又は両者の組み合わせで実施され得ることを認識するだろう。ハードウェアとソフトウェアのこの互換性を明白に例証するために、種々の例証となるコンポーネント、ブロック、モジュール、回路、及びステップは、一般にそれらの機能性の観点から上記に記載されている。そのような機能性がハードウェアとして実施されるかソフトウェアとして実施されるかは、システム全体に課される設計上の制約及び特定の適用例に依存する。熟練した職人は、記載された機能性を特定の適用ごとに様々な方法で実施し得るが、そのような実施上の決定は、本開示の範囲からの逸脱をもたらすものとして解釈されるべきではない。
【００８１】
本明細書に開示された実施形態に関して記載された、種々の例証となる論理的なブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラム可能な論理デバイス、ディスクリートゲート若しくはトランジスタロジック、ディスクリートハードウェアコンポーネント、又は、本明細書に記載される機能を行なうように設計された、これらの任意の組み合わせで実施されてもよいし、行なわれてもよい。汎用プロセッサはマイクロプロセッサであってもよいが、代案では、プロセッサは任意の従来のプロセッサ、コントローラ、マイクロコントローラ、又は状態機械であってもよい。プロセッサはまた、例えば、ＤＳＰとマイクロプロセッサの組み合わせ、複数のマイクロプロセッサ、ＤＳＰコアと協働する１つ又は複数のマイクロプロセッサ、又は任意の他のそのような構成といった、コンピューティングデバイスの組み合わせとして実施されてもよい。
【００８２】
本明細書に開示された実施形態に関連して記載されたアルゴリズム又は方法のステップは、直接ハードウェアで、プロセッサによって実行されるソフトウェアモジュールで、又はこの２つの組合せで具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは、当技術分野で公知の任意の他の形式の記憶媒体に存在してもよい。例示の記憶媒体は、プロセッサが記憶媒体から情報を読み出すことができ、且つ、プロセッサが記憶媒体に情報を書き込むことができるように、プロセッサに結合される。代案では、記憶媒体はプロセッサと一体であってもよい。プロセッサと記憶媒体は、ＡＳＩＣに存在してもよい。ＡＳＩＣはユーザ端末に存在してもよい。代案では、プロセッサと記憶媒体は、ユーザ端末内の別個のコンポーネントとして存在してもよい。
【００８３】
開示された実施形態の先行する記載は、如何なる当業者も本開示を作成又は使用することを可能にすべく提供されている。これらの実施形態への種々の変更は、当業者には容易に明白になるだろうし、また、本明細書に定義された一般的な原理は、本開示の範囲又は精神から逸脱することなく他の実施形態に適用され得る。従って、本開示は、本明細書に示された実施形態に限定されることは意図されないが、本明細書に開示された新規な特徴及び原理と一致する最も広い範囲に合致すべきものである。
【００８４】
先に議論されたように、本明細書に記載される１つ又は複数の面、各特徴又は概念は、本明細書に記載される任意の他の特徴又は概念なしに無線通信において使用されてもよい。本明細書に記載される特徴及び概念は、種々の手段によって実施することができる。例えば、これらの技法はハードウェア、ソフトウェア、又はこれらの組み合わせで実施することができる。ハードウェアで実施する場合、これらの技法のための処理ユニット（例えば、図７のコントローラ７２０及び７６０、ＴＸ及びＲＸプロセッサ７１４及び７３４など）は、１つ又は複数の特定用途向け集積回路（ＡＳＩＣ）、デジタル信号プロセッサ（ＤＳＰ）、デジタル信号処理装置（ＤＳＰＤ）、プログラム可能な論理デバイス（ＰＬＤ）、フィールドプログラマブルゲートアレイ（ＦＰＧＡ）、プロセッサ、コントローラ、マイクロコントローラ、マイクロプロセッサ、本明細書に記載される機能を行なうように設計された他の電子ユニット、又はこれらの組み合わせ内で実施されてもよい。
【００８５】
ソフトウェアで実施する場合、本明細書に記載された技法は、本明細書に記載された機能を行なうモジュール（例えば、プロシージャ、関数など）で実施されてもよい。ソフトウェアコードは、１つ又は複数のプロセッサによって読み出され且つ実行されることができるリムーバブルメディアなどのメモリユニットに格納されてもよい。メモリユニットは、プロセッサの内部に実装されてもよいし、あるいはプロセッサの外部に実装されてもよいが、この場合、それは当技術分野で公知のように種々の手段を介してプロセッサに通信可能に結合されることができる。
【００８６】
更に、本明細書に記載された種々の面又は特徴は、方法、装置、又は、標準的なプログラミング及び／又はエンジニアリング技法を用いて製造品として実施されてもよい。本明細書で用いられる「製造品」という用語は、任意のコンピュータ読み取り可能な装置、搬送波（carrier）、又は媒体からアクセス可能なコンピュータプログラムを包含するように意図される。例えば、コンピュータ読取り可能な媒体は、磁気記憶装置（例えば、ハードディスク、フロッピー（登録商標）ディスク、磁気片等）、光ディスク（例えば、コンパクトディスク（ＣＤ）、デジタルバーサタイルディスク（ＤＶＤ）等）、スマートカード、及びフラッシュメモリ装置（例えば、ＥＰＲＯＭ、カード、スティック、キードライブ等）を含むことができるが、これらに限定されない。また、本明細書に記載される種々の記憶媒体は、１つ又は複数の装置及び／又は情報を格納するための他の機械読み取り可能な媒体を表わすことができる。「機械読み取り可能な媒体」という用語は、命令及び／又はデータを格納し、含み、及び／又は伝えることができる、無線チャネル及び種々の他の媒体を含むことができるが、これらに限定されることはない。
【００８７】
上記に記載されたものは、１つ又は複数の実施形態の例を含んでいる。勿論、前述の実施形態について記載する目的のために考えられる全てのコンポーネント又は方法論を記載することは不可能ではないが、当業者は、様々な実施形態の多くの更なる組合せ及び置換が可能であることを認識し得る。従って、記載された実施形態は、添付の特許請求の範囲内におさまる、そのような変更、変形及びバリエーションを全て包含するように意図される。「備える（includes）」という用語が、詳細な説明又は請求項のいずれかで使用される限り、そのような用語は、「含む（comprising）」が請求項において移行語として使用される場合に解釈されるように、「含む」という用語と類似した方法で包括的であるように意図される。更に、詳細な説明又は請求項のいずれかで使用される「又は（or）」という用語は、「非排他的な又は（non-exclusive or）」という意味である。
以下に、本願出願時の特許請求の範囲に記載された発明を付記する。
［１］割り当てメッセージを送信する方法であって、
少なくとも１つの端末のために割り当て情報を生成し、前記割り当て情報は、逆方向リンク送信リソースの割り当てを含み、
前記割り当てられた逆方向リンク送信リソースについて前記少なくとも１つの端末の電源制御命令を生成し、
前記割り当て情報と前記電源制御命令との両方を含む割り当てメッセージを生成し、
前記少なくとも１つの端末へ前記割り当てメッセージを送信する
ことを含む、方法。
［２］前記電源制御命令を生成することは、ｎビットの数を生成することを含む、前記［１］記載の方法。
［３］前記電源制御命令を生成することは、前記割り当て情報に含まれるパケットフォーマットに基づいて前記電源制御命令を生成することを含む、前記［１］の方法。
［４］前記割り当てメッセージを送信することは、前記少なくとも１つの端末に、電力、電力スペクトル密度、又はこれらの組み合わせを割り当てる、前記［１］記載の方法。
［５］前記電源制御命令は、逆方向リンク電源制御チャネル（ＲＬＰＣ）フィールドに含まれる、前記［１］記載の方法。
［６］前記ＲＬＰＣフィールドは、前記少なくとも１つの端末が、その現在の電力スペクトル密度値を保持するべきであることを示す特別な値を含む、前記［５］記載の方法。
［７］前記ＲＬＰＣフィールドは、前記少なくとも１つの端末が、対応する送信電力スペクトル密度値を、通知されたＩｏＴ（interference-over-thermal）レベルに基づいて推測するために、目標の搬送波電力対干渉波電力比を含む、前記［５］記載の方法。
［８］少なくとも１つの端末に逆方向リンク送信リソースを割り当てる割り当て情報と前記割り当てられた逆方向リンク送信リソースのための電源制御命令との両方を含む割り当てメッセージを生成するための命令を実行し、また、前記少なくとも１つの端末への前記割り当てメッセージの送信を指示するプロセッサと、
前記プロセッサによって生成された命令と関係する情報を格納するメモリと
を備える、無線通信装置。
［９］前記電源制御命令を生成することは、ｎビットの数を生成することを含む、前記［８］記載の無線通信装置。
［１０］前記電源制御命令を生成することは、前記割り当て情報に含まれたパケットフォーマットに基づいて前記電源制御命令を生成することを含む、前記［９］記載の無線通信装置。
［１１］前記割り当てメッセージを前記送信することは、前記少なくとも１つの端末に、電力、電力スペクトル密度、又はこれらの組み合わせを割り当てる、前記［８］記載の無線通信装置。
［１２］前記電源制御命令は、逆方向リンク電源制御チャネルフィールドに含まれる、前記［８］記載の無線通信装置。
［１３］前記逆方向リンク電源制御フィールドは、前記少なくとも１つの端末が、その現在の電力スペクトル密度値を保持するべきであることを示す特別な値を含む、前記［１２］記載の無線通信装置。
［１４］前記逆方向リンク電源制御フィールドは、前記少なくとも１つの端末が、対応する送信電力スペクトル密度値を、通知されたＩｏＴ（interference-over-thermal）レベルに基づいて推測するために、目標の搬送波電力対干渉波電力比を含む、前記［１２］記載の無線通信装置。
［１５］割り当てメッセージを送信する無線通信装置であって、
少なくとも１つの端末のために割り当て情報を生成し、逆方向リンク送信リソースを割り当てる手段と、
前記割り当てられた逆方向リンク送信リソースについて前記少なくとも１つの端末の電源制御命令を生成する手段と、
前記割り当て情報と前記電源制御命令との両方を含む割り当てメッセージを生成する手段と、
前記少なくとも１つの端末へ前記割り当てメッセージを送信する手段と
を備える、無線通信装置。
［１６］前記電源制御命令を生成することは、ｎビットの数を生成することを含む、前記［１１］記載の無線通信装置。
［１７］前記電源制御命令を生成することは、前記割り当て情報に含まれたパケットフォーマットに基づいて前記電源制御命令を生成することを含む、前記［１５］記載の無線通信装置。
［１８］前記割り当てメッセージを前記送信することは、前記少なくとも１つの端末に、電力、電力スペクトル密度、又はこれらの組み合わせを割り当てる、前記［１５］記載の無線通信装置。
［１９］前記電源制御命令は、逆方向リンク電源制御チャネルフィールドに含まれる、前記［１５］記載の無線通信装置。
［２０］前記逆方向リンク電源制御フィールドは、前記少なくとも１つの端末が、その現在の電力スペクトル密度値を保持するべきであることを示す特別な値を含む、前記［１９］記載の無線通信装置。
［２１］前記逆方向リンク電源制御フィールドは、前記少なくとも１つの端末が、対応する送信電力スペクトル密度値を、通知されたＩｏＴ（interference-over-thermal）レベルに基づいて推測するために、目標の搬送波電力対干渉波電力比を含む、前記［１９］記載の無線通信装置。
［２２］少なくとも１つの端末のために割り当て情報を判定し、前記割り当て情報は、逆方向リンク送信リソースの割り当てを含み、
前記割り当てられた逆方向リンク送信リソースについて前記少なくとも１つの端末の電源制御命令を生成し、
前記割り当て情報と前記電源制御命令との両方を含む割り当てメッセージをフォーマットし、
前記少なくとも１つの端末へ前記割り当てメッセージを送信する
ための格納された機械実行可能な命令を有する、機械読み取り可能な媒体。
［２３］無線通信システムにおいて動作可能な装置であって、前記装置は、
少なくとも１つの端末のために割り当て情報を判定し、前記割り当て情報は、逆方向リンク送信リソースの割り当てを含み、
前記割り当てられた逆方向リンク送信リソースについて前記少なくとも１つの端末の電源制御命令を生成し、
前記割り当て情報と前記電源制御命令との両方を含む割り当てメッセージをフォーマットし、
前記少なくとも１つの端末へ前記割り当てメッセージを送信する
ように構成されたプロセッサ
を備える、装置。
【図１】
0005536145.tif 000002
【図２】
0005536145.tif 000003
【図３】
0005536145.tif 000004
【図４】
0005536145.tif 000005
【図５】
0005536145.tif 000006
【図６】
0005536145.tif 000007
【図７】
0005536145.tif 000008
【図８】
0005536145.tif 000009
【図９】
0005536145.tif 000010